(57)【要約】      （修正有）【課題】複数の柱材を容易に所定間隔で平行に並設できる柵および柵の施工方法を提供する。【解決手段】複数の柱材本体３と、これら柱材本体３の下端が固定された基板５と、複数の柱材本体３の下端から所定長さだけ上方に位置する部位に水平方向から係合された補強材６とによって柵骨組が構成されており、補強材６を前記柵骨組の下端部が地盤中に埋設さ前記化粧材４が補強材６より上前記柱材本体３に外挿されて固定されているので、複数の柱材３を容易に所定間隔で平行に並設できる。また、複数の柱材本体３を柵骨組の下端部を地盤中に設置することによって、容易に並設でき、施工が容易となる。【選択図】図１
2010059669.tif 000002
【特許請求の範囲】
【請求項１】
複数の柱材が所定間隔で平行に並設されてなる柵であって、
前記柱材は、所定間隔で平行に並設される金属製の複数の柱材本体と、これら柱材本体それぞれに外挿される筒状の化粧材とを備えており、
前記複数の柱材本体と、これら柱材本体の下端が固定された基板と、前記複数の柱材本体の下端から所定長さだけ上方に位置する部位に水平方向から係合された補強材とによって柵骨組が構成されており、
前記補強材を含む前記柵骨組の下端部が地盤中に埋設され、前記化粧材は前記補強材より上方の前記柱材本体に外挿されて固定されていることを特徴とする柵。 
【請求項２】
請求項１に記載の柵において、
前記補強材は、前記複数の柱材本体の正面に当接して固定される当接板と、この当接板に前記複数の柱材本体の並設方向に所定間隔で形成されて、隣り合う柱材本体間に、対向する柱材本体の側面に当接するようにして挿入される複数の挿入板とを備えていることを特徴とする柵。 
【請求項３】
請求項１または２に記載の柵を施工する柵の施工方法であって、
まず、前記柵骨組を、その基板を地盤面または地盤に形成された凹部の底面に設置するようにして立て、
次に、前記補強材を含む前記柵骨組の下端部を地盤中に埋設し、
次に、前記柵骨組の前記補強材より上方の前記柱材本体に、前記化粧材を上方から外挿して固定することを特徴とする柵の施工方法。 
【請求項４】
請求項１または２に記載の柵を複数並設して施工する柵の施工方法であって、
まず、前記柵骨組を複数用意しておき、
次に、前記複数の柵骨組を、それらの基板を地盤面または地盤に形成された凹部の底面に設置するようにして立てることによって、一直線上に並設し、
次に、隣り合う柵骨組のうち、一方の柵骨組の少なくとも一部の柱材本体の上端部と、他方の柵骨組の少なくとも一部の柱材本体の上端部とに、連結部材を隣り合う柵骨組を連結するようにして、仮固定し、
次に、前記補強材を含む前記柵骨組の下端部を地盤中に埋設し、
次に、前記仮固定した連結部材を外した後、前記柵骨組の前記補強材より上方の前記柱材本体に、前記化粧材を上方から外挿して固定することを特徴とする柵の施工方法。 
【請求項５】
請求項３または４に記載の柵の施工方法において、
前記補強材を含む前記柵骨組の下端部を地盤中に埋設するに際し、
前記補強材を含む前記柵骨組の下端部の周囲にコンクリートを打設して、該柵骨組の下端部を根巻きコンクリートで固めることを特徴とする柵の施工方法。
【発明の詳細な説明】
【技術分野】
【０００１】
本発明は、住宅の敷地等に設けられる防護柵等の柵および柵の施工方法に関する。
【背景技術】
【０００２】
柵の一例として、特許文献１に記載のものが知られている。この柵は、管状芯材に合成樹脂によりその表面に木目調の被覆がなされた支柱と横木とからなる合成樹脂被覆擬木柵において、適宜間隔をおいて立設された支柱間の上下に横木が架設され、この上下の横木に対して多数の縦棧の両端部が固定されたものである。
このような柵では、上下２本の横木を備えているので、人が横木に手や足を掛けて、柵を乗り越えるのが比較的容易である。このため、柵を、多数の上下に長尺な柱材を平行に並設することによって形成すれば、横木がないため、柵を乗り越え難くすることができる。
【特許文献１】特開２０００−２８２７１８号公報
【発明の開示】
【発明が解決しようとする課題】
【０００３】
しかしながら、柵を多数の柱材を平行に並設することによって形成する場合、これら柱材の下端部を地盤に埋設して支持する必要があるが、柱材の下端部を地盤に埋設するだけでは、柱材が前後左右に傾き易く、多数の柱を平行に並設するのが困難である。
また、多数の柱を１本ずつ地盤に埋設しつつ施工するのには非常に手間がかかる。
【０００４】
本発明は上記事情に鑑みてなされたもので、複数の柱材を容易に所定間隔で平行に並設できる柵および柵の施工方法を提供することを課題としている。
【課題を解決するための手段】
【０００５】
上記課題を解決するために、請求項１に記載の発明は、例えば図１、図２、図８等に示すように、複数の柱材３が所定間隔で平行に並設されてなる柵１であって、
前記柱材２は、所定間隔で平行に並設される金属製の複数の柱材本体３と、これら柱材本体３それぞれに外挿される筒状の化粧材４とを備えており、
前記複数の柱材本体３と、これら柱材本体３の下端が固定された基板５と、前記複数の柱材本体３の下端から所定長さだけ上方に位置する部位に水平方向から係合された補強材６とによって柵骨組７が構成されており、
前記補強材６を含む前記柵骨組７の下端部が地盤中に埋設され、前記化粧材４は前記補強材６より上方の前記柱材本体３に外挿されて固定されていることを特徴とする。
【０００６】
請求項１に記載の発明によれば、柵骨組７を構成する複数の柱材本体３の下端が基板５に固定され、複数の柱材本体３の下端から所定長さだけ上方に位置する部位に補強板６が係合しているので、柱材本体３は下端部の２箇所で固定される。そして、補強材６を含む柵骨組７の下端部が地盤中に埋設されているので、地盤上に突出する柱材本体３を所定間隔で平行に並設することができ、これら柱材本体３に化粧材４が外挿されて固定されているので、複数の柱材３を容易に所定間隔で平行に並設できる。
また、複数の柱材本体３を柵骨組７の下端部を地盤中に設置することによって、容易に並設でき、施工が容易となる。
【０００７】
請求項２に記載の発明は、請求項１に記載の柵において、
前記補強材６は、前記複数の柱材本体３の正面に当接して固定される当接板６ａと、この当接板６ａに前記複数の柱材本体３の並設方向に所定間隔で形成されて、隣り合う柱材本体３，３間に、対向する柱材本体３，３の側面に当接するようにして挿入される複数の挿入板６ｂとを備えていることを特徴とする。
【０００８】
請求項２に記載の発明によれば、補強材６が当接板６ａと、この当接板６ａに複数の柱材本体３の並設方向に所定間隔で形成された挿入板６ｂとを備えており、当接板６ａが柱材本体３の正面に当接して固定され、挿入板６ｂが隣り合う柱材本体３，３間に、対向する柱材本体３，３の側面に当接するようにして挿入されるので、各柱材本体３は、前後左右方向への傾きが規制される。したがって、複数の柱材本体３を確実に所定間隔で平行に並設でき、この結果、柱材２を確実に所定間隔で平行に並設できる。
【０００９】
請求項３に記載の発明は、例えば図８に示すように、請求項１または２に記載の柵を施工する柵の施工方法であって、
まず、前記柵骨組７を、その基板５を地盤面または地盤に形成された凹部１０の底面に設置するようにして立て、
次に、前記補強材６を含む前記柵骨組７の下端部を地盤中に埋設し、
次に、前記柵骨組７の前記補強材６より上方の前記柱材本体３に、前記化粧材４を上方から外挿して固定することを特徴とする。
【００１０】
ここで、柵骨組７の基板５を地盤面に設置した場合に、補強材６を含む柵骨組７の下端部を地盤中に埋設するには、地盤面に盛り土を行って、柵骨組７の下端部を地盤中に埋設すればよい。
また、柵骨組７の基板５を地盤に形成された凹部の底面に設置した場合に、補強材６を含む柵骨組７の下端部を地盤中に埋設するには、凹部に土を埋め戻すことによって柵骨組７の下端部を地盤中に埋設すればよい。
【００１１】
請求項３に記載の発明によれば、柵骨組７を地盤面または地盤に形成された凹部１０の底面に設置して、補強材６を含む前記柵骨組７の下端部を地盤中に埋設するので、地盤上に柵骨組７の柱材本体３を容易に突出させて立設できる。そして、これら柱材本体３に化粧材４を上方から外挿して固定することによって、柵１の施工を容易に行える。
【００１２】
請求項４に記載の発明は、請求項１または２に記載の柵を複数並設して施工する柵の施工方法であって、
まず、前記柵骨組７（７ａ，７ａ，７ｂ，７ｂ）を複数用意しておき、
次に、前記複数の柵骨組７ａ，７ａ，７ｂ，７ｂを、それらの基板５を地盤面または地盤に形成された凹部１０の底面に設置するようにして立てることによって、一直線上に並設し、
次に、隣り合う柵骨組７ａ，７ｂ（７ａ，７ａ）のうち、一方の柵骨組７ａ（７ａ）の少なくとも一部の柱材本体３の上端部と、他方の柵骨組７ｂ（７ａ）の少なくとも一部の柱材本体３の上端部とに、連結部材１５を隣り合う柵骨組７ａ，７ｂ（７ａ，７ａ）を連結するようにして、仮固定し、
次に、前記補強材１５を含む前記柵骨組７（７ａ，７ａ，７ｂ，７ｂ）の下端部を地盤中に埋設し、
次に、前記仮固定した連結部材１５を外した後、前記柵骨組７の前記補強材６より上方の前記柱材本体３に、前記化粧材４を上方から外挿して固定することを特徴とする。
【００１３】
請求項４に記載の発明によれば、複数の柵骨組７ａ，７ａ，７ｂ，７ｂを、それらの基板５を地盤面または地盤に形成された凹部１０の底面に設置するようにして立てることによって、一直線上に並設した後、隣り合う柵骨組７ａ，７ｂ（７ａ，７ａ）のうち、一方の柵骨組７ａ（７ａ）の複数の柱材本体３の少なくとも一部の柱材本体３の上端部と、他方の柵骨組７ｂ（７ａ）の複数の柱材本体３の少なくとも一部の柱材本体３の上端部とに、連結部材１５を隣り合う柵骨組７ａ，７ｂ（７ａ，７ａ）を連結するようにして、仮固定するので、複数の柵骨組７ａ，７ａ，７ｂ，７ｂをそれらの柱材本体３の上端部を揃えて、一直線上に並設できる。そして、補強材６を含む柵骨組７ａ，７ａ，７ｂ，７ｂの下端部を地盤中に埋設した後、仮固定した連結部材１５を外したうえで、柵骨組７ａ，７ａ，７ｂ，７ｂの補強材６より上方の柱材本体３に、化粧材４を上方から外挿して固定するので、所望の長さの柵の施工を容易に行える。
【００１４】
請求項５に記載の発明は、請求項３または４に記載の柵の施工方法において、
前記補強材６を含む前記柵骨組７の下端部を地盤中に埋設するに際し、
前記補強材６を含む前記柵骨組７の下端部の周囲にコンクリートＣを打設して、該柵骨組７の下端部を根巻きコンクリートで固めることを特徴とする。
【００１５】
請求項５に記載の発明によれば、補強材６を含む柵骨組７の下端部の周囲にコンクリートＣを打設して、該柵骨組７の下端部を根巻きコンクリートで固めるので、柵骨組７の下端部を地盤中に強固に固定できる。
【発明の効果】
【００１６】
本発明によれば、複数の柱材本体と、これら柱材本体の下端が固定された基板と、複数の柱材本体の下端から所定長さだけ上方に位置する部位に水平方向から係合された補強材とによって柵骨組が構成されており、この柵骨組を構成する複数の柱材本体の下端が基板に固定され、複数の柱材本体の下端から所定長さだけ上方に位置する部位に補強板が係合しているので、柱材本体は下端部の２箇所で固定される。そして、補強材を含む柵骨組の下端部が地盤中に埋設されているので、地盤上に突出する柱材本体を所定間隔で平行に並設することができ、これら柱材本体に化粧材が外挿されて固定されているので、複数の柱材を容易に所定間隔で平行に並設できる。
また、柵骨組を地盤面または地盤に形成された凹部の底面に設置して、補強材を含む柵骨組の下端部を地盤中に埋設し、地盤上に突出する柱材本体に化粧材を上方から外挿して固定することによって、柵の施工を容易に行える。
さらに、設置した隣り合う柵骨組のうち、一方の柵骨組の少なくとも一部の柱材本体の上端部と、他方の柵骨組の少なくとも一部の柱材本体の上端部とに、連結部材を隣り合う柵骨組を連結するようにして、仮固定するので、柵骨組を複数の柵骨組の柱材本体の上端部を揃えて、一直線上に並設でき、柵骨組の下端部を地盤中に埋設した後、連結部材を外したうえで、柵骨組の補強材より上方の柱材本体に、化粧材を上方から外挿して固定するので、所望の長さの柵の施工を容易に行える。
【発明を実施するための最良の形態】
【００１７】
以下図面を参照して本発明の実施の形態について説明する。
図１は本発明に係る柵の一例を示す斜視図、図２は同柵の柵骨組を示す斜視図である。
図１および図２に示すように、柵１は、複数（本実施の形態では２０本）の柱材２・・・が所定間隔で平行に並設されてなるものであり、柱材２は、所定間隔で平行に並設される金属製の複数（本実施の形態では２０本）の柱材本体３・・・と、これら柱材本体３・・・それぞれに外挿される筒状の化粧材４とを備えている。
【００１８】
複数の柱材本体３・・・の下端は、これら柱材本体３・・・の並設方向に長尺な基板５にその長手方向に所定（一定）間隔で固定されている。
柱材本体３は、図３に示すように、アルミで形成された、上下に長尺な四角筒状のものであり、この柱材本体３の４つの角部には、それぞれ突条３ａが柱材本体３の長手方向（上下方向）に延在して形成されている。突条３ａは、図４に示すように、柱材本体３の横断面において、Ｌ字型または逆Ｌ字型に形成されたものであり、その一片は柱材本体３の断面における短辺と平行に形成されている。また、柱材本体３の内部には、横断面略Ｃ字型のビス挿入部３ｂ，３ｂが柱材本体３の長手方向に延在して形成されている。ビス挿入部３ｂ，３ｂは柱材本体３の横断面における対向する短辺の中央部にそれぞれ形成されている。
【００１９】
前記基板５は、図５（ａ）に示すように、左右に長尺なアルミの板材で形成されたものであり、基板本体５ａと、この基板本体５ａの一方の縁部に直角に立ち上がるようにして形成された立上部５ｂとで構成されている。基板本体５ａには、この基板本体５ａの長手方向に一定間隔でビス穴５ｃが複数、２列に形成されている（図５（ｂ）参照）。また、ビス穴５ｃ・・・は立上部５ｂ側に寄せて形成されている。
【００２０】
また、図１および図２に示すように、複数の柱材本体３の下端から所定長さだけ上方に位置する部位には、補強材水平方向から係合された補強材６が水平方向から係合されている。なお、柱材本体３の下端から所定長さだけ上方に位置する部位とは、柱材本体３の下端部を地盤に埋設した際に、地盤の上面（地盤面）より若干下方に位置する部位のことである。
前記補強材６は、図１および図６に示すように、横断面略Ｌ型に形成された左右に長尺のアルミの板材で形成されており、当接板６ａと、複数の挿入板６ｂ・・・と、端部板６ｃ，６ｃとによって構成されている。
【００２１】
当接板６ａは、左右に長尺なものであり、複数の柱材本体３・・・の正面に当接されるようになっている。また、当接板６ａには、その上下縁部にビス穴６ｄ，６ｄが当接板６ａの長手方向に所定間隔で形成されている。
挿入板６ｂ・・・は、当接板６ａに複数の柱材本体３・・・の並設方向に所定間隔で形成されている。また、挿入板６ｂは、隣り合う柱材本体３，３間に、対向する柱材本体３，３の側面に挿入板６ｂの側部が当接するようにして挿入されるようになっている。隣り合う挿入板６ｂ，６ｂ間の間隔は、柱材本体３の厚さと等しくなっており、これによって、この間隔に柱材本体３がはめ込まれるようになっている。なお、当接板６ａに形成されているビス穴６ｄは、隣り合う挿入板６ｂ，６ｂの間に位置するように配置されている。
端部板６ｃ，６ｃは、補強板６の両端部に位置しており、両端側にある挿入板６ｂ，６ｂと所定の間隔、つまり柱材本体３の厚さと等しい間隔で配置されている。そして、この端部板６ｃと端部にある挿入板６ｂとの間に、端部にある柱材本体３が挿入されるようになっている。
【００２２】
そして、図２に示すように、前記複数の柱材本体３・・・と、これら柱材本体３・・・の下端が固定された基板５と、複数の柱材本体３・・・の下端から所定長さだけ上方に位置する部位に水平方向から係合された補強材６とによって柵骨組７が構成されている。
柵骨組７を組み立てるには、まず、基板５の基板本体５ａのビス穴５ｂが形成されている上面に、柱材本体３の下端を当接したうえで、基板本体５ａの下面からビスをビス穴５ｂに通し、柱材本体３のビス挿入部３ｂにねじ込むことによって、柱材本体３をそれぞれ固定する。次に、複数の柱材本体３の正面に補強板６の当接板６ａを当接するとともに、隣り合う柱材本体３，３間に挿入板６ｂを挿入し、さらに、端部の柱材本体３ｂの外側の面に端部板６ｃを当接する。次に、当接板６ａの表面からビス８をビス穴６ｄに通し、柱材本体３の正面壁にねじ込むことによって、補強板６を柱材本体３・・・に固定する。
【００２３】
このようにして組み立てられた柵骨組７の柱材本体３には、上方から筒状の化粧材４が外挿され、これによって、柵１が組み立てられている。
化粧材４は、図７に示すように、上下に長尺な四角筒状の筒体４ａとこの筒体４ａの上端開口を閉塞する蓋部４ｂとから構成されている。筒体４ａは、木粉と樹脂を混合してなる混合材料を押出成形したものであり、その下端部にはビス穴４ｃ，４ｃが上下に離間して形成されている。また、化粧材４の長さは柱材本体３より短くなっている。さらに、化粧材４の内部には、図４に示すように、突条４ｄ，４ｄが化粧材４の長手方向に延在して形成されている。また、突条４ｄ，４ｄは化粧材４の横断面における対向する短辺の中央部にそれぞれ形成されている。さらに、突条４ｄの幅は、柱材本体３の突条３ａ，３ａ間の距離より若干小さくなっている。また、突条４ｄの下端部には前記ビス穴４ｃが形成されている。
そして、上記のような化粧材４は、図１および図４に示すように、柱材本体３にその上方から外挿されたうえで、化粧材４の下端部の正面からビス穴４ｃ，４ｃにビス９，９を通し、柱材本体３の正面壁にねじ込むことによって、柱材本体３に固定されている。化粧材４を柱材本体３に外挿する場合、その突条４ｄ，４ｄが柱材本体３の突条３ａ，３ａ間に嵌まり込むようにして外挿する。
【００２４】
なお、上記のような柵１（柵骨組７）では、柱材２（柱材本体３）の本数は２０本に限らず、施工すべき柵の長さ（幅）に応じて適宜設定される。
例えば、柵１としては、柱材２（柱材本体３）が６本程度のもの、柱材２（柱材本体３）が３０本程度のもの等、複数種類のものが挙げられる。そして、これら複数種類の柵１（柵骨組７）を適宜選択して、地盤に一直線状に並設することによって、所望の長さに柵１を施工する。
【００２５】
この柵の施工の一例について図８を参照して説明する。
まず、図４（ａ）に示すように、地盤Ｇに凹部１０を掘削施工する。凹部１０は施工すべき柵の長さに対応した長さを有する溝状に形成されたものである。
次に、凹部１０の底部に割栗石１１を敷き詰めるとともにその上面を平らにならしたうえで、該上面に複数の柵骨組７を、その基板５を設置するように立てることによって、一直線上に並設する。なお、本実施の形態では、２種類の柵骨組７ａと７ｂを使用している。柵骨組７ａは柵骨組７ｂより柱材本体３の本数が多くなっており、それぞれ２組ずつ使用する。また、柵骨組７ａ，７ａは凹部１０の長手方向中央部に隣接して配置し、柵骨組７ｂ，７ｂはそれぞれ柵骨組７ａ，７ａの外側に隣接して配置する。
【００２６】
次に、図４（ｂ）に示すように、隣り合う柵骨組７ａ，７ｂのうち、一方の柵骨組７ａの半数の柱材本体３の上端部と、他方の柵骨組７ｂの半数の柱材本体３の上端部とに、連結部材１５を隣り合う柵骨組７ａ，７ｂを跨いで連結するようにして、仮固定し、同様に、隣り合う柵骨組７ａ，７ａのうち、一方の柵骨組７ａの半数の柱材本体３の上端部と、他方の柵骨組７ａの半数の柱材本体３の上端部とに、連結部材１５を隣り合う柵骨組７ａ，７ａを跨いで連結するようにして、仮固定する。
【００２７】
連結部材１５は、図９に示すように、左右に長尺なアルミの板材で形成されたものであり、上面板１５ａと、この上面板１５ａの一方の縁部から垂下するようにして形成された垂下板１５ｂとで構成されている。上面板１５ａには、その長手方向に一定間隔でビス穴１５ｃが複数、２列に形成されている。
そして、このような連結部材１５は、図２に示すように、その上面板１５ａを柱材本体３・・・の上端に当接するとともに、垂下板１５ｂを柱材本体３・・・の正面に当接したうえで、上面板１５ａの上方からビス１６を柱材本体３のビス挿入部３ｂにねじ込むことによって、柱材本体３・・・の上端部に仮固定される。
【００２８】
上記のようにして、連結板１５を隣り合う柵部材７ａ，７ｂ（７ａ，７ａ）の柱材本体３・・・に仮固定することによって、柵部材７ａ，７ａ，７ｂ，７ｂをそれらの柱材本体３・・・の上端を揃えて一直線上に配置する。
【００２９】
次に、図４（ｃ）に示すように、補強材６を含む柵骨組７（７ａ，７ｂ）の下端部を地盤中に埋設する。この際、補強材６を含む柵骨組７（７ａ，７ｂ）の下端部の周囲にコンクリートＣを打設して、該柵骨組７の下端部を根巻きコンクリートで固める。
【００３０】
次に、図４（ｄ）に示すように、前記コンクリートＣが硬化した後、仮固定した連結部材１５・・・を柵骨組７から外した後、柵骨組７の補強材６より上方の柱材本体３に化粧材４を上方から外挿して固定して、柵１の施工を終了する。
【００３１】
本実施の形態によれば、柵骨組７を構成する複数の柱材本体３・・・の下端が基板５に固定され、複数の柱材本体３・・・の下端から所定長さだけ上方に位置する部位に補強板６が係合しているので、柱材本体３・・・は下端部の２箇所で固定される。そして、補強材６を含む柵骨組７の下端部が地盤中に埋設されているので、地盤上に突出する柱材本体３・・・を所定間隔で平行に並設することができ、これら柱材本体３・・・に化粧材４が外挿されて固定されているので、複数の柱材２・・・を容易に所定間隔で平行に並設できる。
また、補強材６が当接板６ａと、この当接板６ａに複数の柱材本体３・・・の並設方向に所定間隔で形成された挿入板６ｂとを備えており、当接板６ａが柱材本体３・・・の正面に当接して固定され、挿入板６ｂが隣り合う柱材本体３，３間に、対向する柱材本体３，３の側面に当接するようにして挿入されるので、各柱材本体３は、前後左右方向への傾きが規制される。したがって、複数の柱材本体３・・・を確実に所定間隔で平行に並設でき、この結果、柱材２を確実に所定間隔で平行に並設できる。
【００３２】
さらに、柵骨組７を地盤Ｇに形成された凹部１０の底面に設置して、補強材６を含む柵骨組７の下端部を地盤中に埋設するので、地盤上に柵骨組７の柱材本体３を容易に突出させて立設できる。そして、これら柱材本体３に化粧材４を上方から外挿して固定することによって、柵１の施工を容易に行える。
また、複数の柵骨組７ａ，７ａ，７ｂ，７ｂを、それらの基板５を地盤Ｇに形成された凹部１０の底面に設置するようにして立てることによって、一直線上に並設した後、隣り合う柵骨組７ａ，７ａ（７ａ，７ｂ）のうち、一方の柵骨組７ａ（７ａ）の複数の柱材本体３の少なくとも一部の柱材本体３の上端部と、他方の柵骨組７ａ（７ｂ）の複数の柱材本体３の少なくとも一部の柱材本体３の上端部とに、連結部材１５を隣り合う柵骨組７ａ，７ａ（７ａ，７ｂ）を連結するようにして、仮固定するので、複数の柵骨組７ａ，７ａ，７ｂ，７ｂをそれらの柱材本体３の上端部を揃えて、一直線上に並設できる。そして、補強材６を含む柵骨組７ａ，７ａ，７ｂ，７ｂの下端部を地盤中に埋設した後、仮固定した連結部材１５を外したうえで、柵骨組７ａ，７ａ，７ｂ，７ｂの補強材１５より上方の柱材本体３に、化粧材４を上方から外挿して固定するので、所望の長さの柵の施工を容易に行える。
加えて、補強材６を含む柵骨組７の下端部を地盤中に埋設するに際し、補強材６を含む柵骨組７の下端部の周囲にコンクリートＣを打設して、該柵骨組７の下端部を根巻きコンクリートで固めるので、柵骨組７の下端部を地盤中に強固に固定できる。
【００３３】
なお、本実施の形態では、柵を施工するに際し、複数種類の柵骨組７ａ，７ｂを並設するようにしたが、１つの柵骨組７のみによって、柵１を施工してもよい。この場合、柵骨組７の上端部に連結部材１５を仮固定してもよいが、柱材本体３の本数が少ない場合は連結部材１５を使用しないで施工しもよい。連結部材１５を使用しない場合、柵骨組７を、その基板５を地盤面または地盤に形成された凹部の底面に設置するようにして立て、次に、補強材６を含む柵骨組７の下端部を地盤中に埋設し、次に、柵骨組７の補強材６より上方の柱材本体３に、化粧材４を上方から外挿して固定すればよい。
【図面の簡単な説明】
【００３４】
【図１】本発明に係る柵の一例を示すもので、その斜視図である。
【図２】同、柵骨組を示す斜視図である。
【図３】同、柱材本体を示す斜視図である。
【図４】同、柱材の横断面図である。
【図５】同、（ａ）は基板を示す斜視図、（ｂ）は基板の一部の平面図である。
【図６】同、補強材を示す斜視図である。
【図７】同、化粧材を示す斜視図である。
【図８】本発明に係る柵の施工方法の一例を示すもので、その工程図である。
【図９】同、柵の施工方法に使用される連結部材を示す斜視図である。
【符号の説明】
【００３５】
１  柵
２  柱材
３  柱材本体
４  化粧材
５  基板
６  補強材
６ａ  当接板
６ｂ  挿入板
７，７ａ，７ｂ  柵骨組
１０  凹部
１５  連結部材
Ｇ  地盤
【図１】
2010059669.tif 000003
【図２】
2010059669.tif 000004
【図３】
2010059669.tif 000005
【図４】
2010059669.tif 000006
【図５】
2010059669.tif 000007
【図６】
2010059669.tif 000008
【図７】
2010059669.tif 000009
【図８】
2010059669.tif 000010
【図９】
2010059669.tif 000011